(57)【要約】【課題】タンクの開口部から内部に向かって物品の一部又は全部を装填する際、その被装填物の一部又は全部の重量を、既設タンクに負担を掛けることなく支持することを可能にするタンク設備を提供する。【解決手段】タンク設備1は、開口部３を備えたタンク２と、前記開口部から前記タンクの内部に向かって一部又は全部が装填される被装填物６と、該タンクの外部又は周囲に存在する基盤４上に設置され、前記被装填物の一部又は全部の重量を支持する重量支持部材５とを具備する。【選択図】  図１
2010163206.tif 000002
【特許請求の範囲】
【請求項１】
開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備することを特徴とするタンク設備。
【請求項２】
前記タンクの開口部を封じ又は閉じる蓋部材を更に備えることを特徴とする請求項１に記載のタンク設備。
【請求項３】
前記蓋部材の一部又は全部の重量が、前記重量支持部材により支持されていることを特徴とする請求項２に記載のタンク設備。
【請求項４】
前記蓋部材の近傍又は周辺に別の部材を更に設け、この別の部材の一部又は全部の重量が、前記重量支持部材で支持されていることを特徴とする請求項３に記載のタンク設備。
【請求項５】
前記タンクが既設タンクであることを特徴とする請求項１〜４のいずれかに記載のタンク設備。
【請求項６】
複数個の構造単位を備え、各構造単位が、開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備することを特徴とするタンク設備。
【請求項７】
前記複数個の構造単位のうち少なくとも一つが具備するタンクが、既設タンクであることを特徴とする請求項６に記載のタンク設備。
【請求項８】
タンクの外部又は周囲に存在する基盤上に重量支持部材を設置する工程と、前記タンクの開口部から内部に向かって一部又は全部が装填される被装填物の一部又は全部の重量を、前記重量支持部材で支持する工程とを備えたことを特徴とするタンク設備の構築方法。
【請求項９】
前記タンクの開口部を蓋部材により封じ又は閉じる工程を更に有することを特徴とする請求項８に記載のタンク設備の構築方法。
【請求項１０】
前記蓋部材の一部又は全部の重量を、前記重量支持部材で支持する工程を更に有することを特徴とする請求項９に記載のタンク設備の構築方法。
【請求項１１】
前記蓋部材の近傍又は周辺に別の部材を更に設け、この別の部材の一部又は全部の重量を前記重量支持部材で支持する工程を備えたことを特徴とする請求項１０に記載のタンク設備の構築方法。
【請求項１２】
前記タンクが既設タンクであることを特徴とする請求項８〜１１のいずれかに記載のタンク設備の構築方法。
【請求項１３】
開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備する構造単位を一個又は複数個備えるタンク設備に、前記構造単位を少なくとも一個増設して、前記タンク設備より大きなタンク設備にすることを特徴とするタンク設備の構築方法。
【発明の詳細な説明】
【技術分野】
【０００１】
本発明は、タンク、特に既設タンクを利用したタンク設備を及びこの設備を構築する方法に関する。当該設備におけるタンクの使用目的又は設置目的は、そのタンク本来の（又は設置当初の）使用目的又は設置目的であっても、別の又は新たな目的であってもよい。
【背景技術】
【０００２】
タンクを利用して何らかの設備を構築する技術の典型例は、タンクの外部に補強材を設置する、タンクが設置されている基盤を強化するなどの作業を通じて行われるタンクの改修又は補強に係る技術である（特許文献１〜９）。これらの技術では、設備の構築作業（要するに改修又は補強）の前後で、タンクの使用目的又は設置目的は変わらない。他にも、建築物基礎部の既設ピット部に補修、断熱処理等を施し、管路を形成して全体として蓄熱槽を構築する例も知られている（特許文献１０、非特許文献１）。これは、設備の構築作業の前後で、タンクの使用目的又は設置目的が変わる例といえる。
【先行技術文献】
【特許文献】
【０００３】
【特許文献１】特開平11-61965号公報
【特許文献２】特開昭64-84891号公報
【特許文献３】特開平9-156688号公報
【特許文献４】特開2006-168799号公報
【特許文献５】特開平10-194383号公報
【特許文献６】特開平3-36374号公報
【特許文献７】特公平5-14046号公報
【特許文献８】特開昭61-72125号公報
【特許文献９】特開2008-231891号公報
【特許文献１０】特許第3961477号公報
【非特許文献】
【０００４】
【非特許文献１】「I．世界貿易センタービルにおける蓄熱システムの構築と運転−遊休ピットを有効活用した水蓄熱システムの実現」（電設技術、平成15年12月号、3-10頁）
【発明の概要】
【発明が解決しようとする課題】
【０００５】
ここで、タンクを利用して設備を構築しようとする際、タンクの開口部から内部に向かって、何らかの目的を達成するための物品（例えば物質移動を行うための配管、物質の撹拌を行うための撹拌装置、物質の性質を測定するための計測機器、それらの位置決めを行う保持部材）の一部又は全部を装填する必要に迫られる場合がある。この場合、これらの被装填物には、その一部であれ全部であれ、それぞれに固有の重量があるので、当該被装填物の一部又は全部の重量をタンクに負担を掛けることなく支持するための格段の工夫が必要になる。なぜなら、タンクの中には、時間の経過により強度が劣化しているもの、物品の一部又は全部が内部に装填されることを前提に設計されていないもの、物品の一部又は全部が装填されることを前提に設計されているとしても、設計時の想定を超える重量を支持可能なほどの強度になるように設計されていないものがあり得るからである。
【０００６】
しかし、上記の従来技術では、タンクの開口部から内部に向かって、何らかの目的で物品の一部又は全部を装填するというケース自体が射程外であるか、射程内であっても、その被装填物の一部又は全部の重量を、タンクに負担を掛けることなく支持するという課題や解決手段などの技術的事項が具体的に想定されていない。
【０００７】
本発明は、以上の事情に鑑みてなされたものであり、タンクの開口部から内部に向かって物品の一部又は全部を装填する際、その被装填物の一部又は全部の重量を、タンクに過度の負担を掛けることなく支持することが可能なタンク設備（換言すればタンクに掛かる重量負荷が軽減される設備）自体及びその構築方法を提供することを目的とする。
【課題を解決するための手段】
【０００８】
上記目的を達成するための、本発明のタンク設備の第１の形態は、タンクを利用して構成される設備であって、開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備することを特徴とする。
【０００９】
なお、「前記被装填物の重量の全部・・・が、前記重量支持部材で支持されている」とは、被装填物の全部の重量が重量支持部材のみにより支持され、タンクにより支持されることがないことを意味している。これに対し、「被装填物の重量の・・・一部が、重量支持部材で支持されている」とは、被装填物の一部の重量が重量支持部材のみにより支持され、当該一部の重量がタンクにより支持されることがないことを意味しているので、被装填物のうち当該一部を除いた残部の一部又は全部の重量が、タンク及びその他の重量支持手段のうち少なくともいずれか一方により支持されていることが、その意味に含まれることになる。それ故、被装填物の重量の一部がタンクにより支持されていても、「被装填物の重量の・・・一部が、重量支持部材で支持されている」ことに該当する場合がある。
【００１０】
本発明の第２の形態は、第１の形態に係る設備であって、前記タンクの開口部を封じ又は閉じる蓋部材を更に備えることを特徴とする。
【００１１】
本発明の第３の形態は、第２の形態に係る設備であって、前記蓋部材の一部又は全部の重量が、前記重量支持部材で支持されていることを特徴とする。
【００１２】
本発明の第４の形態は、第３の形態に係る設備であって、前記蓋部材の近傍又は周辺に別の部材を更に設け、この別の部材の一部又は全部の重量が、前記重量支持部材で支持されていることを特徴とする。
【００１３】
本発明の第５の形態は、第１乃至第４のうちいずれかの形態に係る設備であって、当該タンクが既設タンクであることを特徴とする。
【００１４】
本発明の第６の形態は、複数個の構造単位を備え、各構造単位が、開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備することを特徴とする。
【００１５】
本発明の第７の形態は、第６の形態に係る設備であって、前記複数個の構造単位のうち少なくとも一つが具備するタンクが、既設タンクであることを特徴とする。
【００１６】
本発明の第８の形態は、タンクを利用して構成される設備の構築方法であって、タンクの外部又は周囲に存在する基盤上に重量支持部材を設置する工程と、前記タンクの開口部から内部に向かって一部又は全部が装填される被装填物の一部又は全部の重量を、前記重量支持部材で支持する工程とを備えたことを特徴とする。
【００１７】
なお、「被装填物の重量の全部・・・を、前記タンクの外部又は周囲に存在する基盤上に設置された重量支持部材で支持する」とは、被装填物の全重量を重量支持部材のみにより支持し、タンクにより支持しないことを意味している。これに対し、「被装填物の重量の・・・一部を、前記タンクにより支持することなく、前記タンクの外部又は周囲に存在する基盤上に設置された重量支持部材により支持する」とは、被装填物の一部の重量を重量支持部材のみにより支持し、当該一部の重量をタンクにより支持しないことを意味しているので、被装填物の重量のうち当該一部を除いた残部の一部又は全部を、タンク及びその他の重量支持手段のうち少なくともいずれか一方により支持することが、その意味に含まれることになる。それ故、被装填物の重量の一部をタンクにより支持することが、「被装填物の重量の・・・一部を、前記タンクの外部又は周囲に存在する基盤上に設置された重量支持部材により支持する」ことに該当する場合がある。
【００１８】
本発明の第９の形態は、第８の形態に係る設備の構築方法であって、前記タンクの開口部を蓋部材により封じ又は閉じる工程を更に有することを特徴とする。
【００１９】
本発明の第１０の形態は、第９の形態に係る設備の構築方法であって、前記蓋部材の一部又は全部の重量を、前記重量支持部材で支持する工程を更に有することを特徴とする。
【００２０】
本発明の第１１の形態は、第１０の形態に係る設備の構築方法であって、前記蓋部材の近傍又は周辺に別の部材を更に設け、この別の部材の一部又は全部の重量を前記重量支持部材で支持する工程を備えたことを特徴とする。
【００２１】
本発明の第１２の形態は、第８乃至第１１のうちいずれかの形態に係る設備の構築方法であって、当該タンクが既設タンクであることを特徴とする。
【００２２】
本発明の第１３の形態は、タンク設備の構築方法であって、開口部を備えたタンクと、前記開口部から前記タンクの内部に向かって一部又は全部が装填される被装填物と、該タンクの外部又は周囲に存在する基盤上に設置され、前記被装填物の一部又は全部の重量を支持する重量支持部材とを具備する構造単位を一個又は複数個備えるタンク設備に、前記構造単位を少なくとも一個増設することにより、より大きなタンク設備にすることを特徴とする。
【００２３】
（用語の定義及び解釈）
なお、本発明の特許請求の範囲、明細書及び図面の記載において、次に掲げる用語の定義及び解釈は、別段の定義又は解釈が設定されている場合を除き、以下のとおりとする。
【００２４】
（１）  「タンク」とは、内部に何らかの物質を収容又は格納可能な内部空間を備える容器、装置その他の物品をいう。  
（２）  「既設タンク」とは、現に設置されているタンクをいう。それ故、現に設置されているものである限り、内部に何らかの物質を格納する内部空間を備えるように設計されていると否とに拘らず、結果として内部に何らかの物質を格納可能な内部空間を備えるに至っている物品であれば、「既設タンク」に該当する。  
（３）  「開口部」とは、タンクの内部と外部とを連結又は連通する開放部分をいい、タンクの設置当初からそのタンクに設けられていたもののみならず、設置後の必要に応じて新設されたものも「開口部」に該当する。  
（４）  「設備」とは、ある目的の達成に必要なものを備え付けられたものをいう。その「ある目的」とは、設備の使用目的又は設置目的の意であり、その語義に特に制限はない。従って、この「ある目的」は、タンク本来の使用目的又は設置目的と同じであっても異なっていてもよい。「ある目的の達成に必要なもの」は、タンクそれ自体である場合もあれば、そうでない場合もある。尤も、「タンクを利用して」構築される「設備」においては、タンクは不可欠な構成要素となることは言うまでもない。  
（５）  「基盤」とは、タンクの外部又は周囲において重量支持部材の設置を可能ならしめる建築物、構造物等の基礎部分をいい、その限りにおいて、地盤である必要はなく、水平の主面を有する必要もない。「基盤」は、タンクの設置のために形成された既存の基盤であれば足りるものの、その既存の基盤を更に強化した部分であってもよく、新たな基盤として追加的に形成した部分（例えば地盤基礎改良処理により形成した基盤）であってもよい。  
（６）  「被装填物」とは、何らかの目的を達成するために、タンクの開口部から内部に向かって、一部又は全部が装填される物品をいう。この「何らかの目的」は、文字通りの意味であり、タンクの使用目的又は設置目的と同じ目的である場合もあれば、それと異なる目的である場合もある。  
（７）  「重量支持材」は、タンクの外部又は周囲に存在する基盤上に設置されるとともに、被装填物の一部又は全部の重量を支持する部材である。なお、「基盤上に設置される」とは、ある部材が、基盤の上に直接設置されることのみを意味するものではない。ある部材が、基盤の上に間接的に（例えば別の部材、部品等の物品を介して）設置されることや、一部を基盤に埋没させ、残部を当該基盤から露出させているために、基盤の上に直接又は間接的に設置されているような外形となることも、「基盤上に設置される」に該当する。
【発明の効果】
【００２５】
本発明によれば、タンクを利用して設備を構築しようとする際、タンクの開口部から内部に向かって物品の一部又は全部を装填するときに、その被装填物の一部又は全部の重量が、タンクにより支持されることなくタンクの外部に存在する基盤上に設置した重量支持部材に支持される。それ故、その被装填物の一部又は全部の重量の負担がタンクに掛からない、換言すればタンクに掛かる重量負荷が軽減される設備及びその構築方法を実現することができる。
【００２６】
より具体的には、本発明によれば、例えば、タンクの強度が時間の経過により劣化していても或いは、タンクが、物品の一部又は全部が内部に装填されることを前提に設計されていなくても又は設計時の想定を超える重量を支持可能なように設計されていないものであっても、当該タンクを利用した設備及びその構築方法を実現することができる。
【００２７】
また、重量支持部材は、タンクの強度を補う部材、即ち補強材を兼ねる部材又はその補強材に連結する部材であることが望ましい。重量支持部材がタンクの補強材を兼ねる部材又はその補強材に連結する部材であるということは、本発明に係る設備の構築と同時に、タンクの改修又は補強も実現できることを意味している。タンクの改修又は補強の際に、本発明に係る設備を構築することができれば、それは合理的又は効率的であるといえる。
【００２８】
以上は、本発明の各形態に共通する効果であるが、特定の形態に固有の効果は以下のとおりである。  
本発明の第２及び第９の形態によれば、被装填物の一部又は全部が内部に装填されたタンクの開口部が蓋部材により封じられる又は閉じられるので、タンクの内部の外気への露出や、その内部への塵埃の移動を防止又は抑制することができ、設備の動作の健全性を維持することができる。
【００２９】
本発明の第３、第４及び第１０、第１１の形態によれば、被装填物の一部又は全部が内部に装填されたタンクの開口部を封じる又は閉じる蓋部材又はその近傍又は周辺の別部材の一部又は全部の重量も、重量支持部材により支持されるので、蓋部材やその近傍又は周辺の別部材の一部又は全部の重量の負担も、タンクに掛からない設備及びその構築方法を実現することができる。このような効果は、タンクの開口部を封じる又は閉じるという役割を追求して設計した結果、蓋部材やその近傍又は周辺の機器や装置の重量が増してしまった場合に特に有益である。そのように重量が増してしまっても、これらの形態によれば、増加した重量がタンクに過度に掛かる事態を回避でき、その分、蓋部材やその近傍又は周辺の機器や装置の設計の自由度が高まるからである。
【００３０】
本発明の第５、第７及び第１２の形態において、少なくとも一つのタンクは既設タンクである。既設タンクは、タンクの強度の経時的劣化が顕著であり、物品の一部又は全部が内部に装填されることを前提に設計されていないものも多く、また、そのように設計されていたとしても、通常、想定以上の重量に耐えられるように設計されていない。それ故、この第５、第７及び第１２の形態によれば、上記の本発明の各形態に共通する効果及び特定の形態に固有の効果は、より強調され、顕著又は有益となる。
【００３１】
本発明の第１３の形態において、タンク設備は、被装填物の一部又は全部の重量を支持する重量支持部材を具備する構造単位を一個又は複数個備えているので、構造単位を増設してタンク設備をより大きくすることを容易におこなうことができ、構造単位を増設したタンク設備においても同様に本発明のタンク設備の効果を発揮することができる。
【００３２】
本発明のその他の形態が奏する効果については、本発明の実施形態又は実施例において説明する。
【図面の簡単な説明】
【００３３】
【図１】本発明にかかるタンク設備の一実施態様を示す説明図。
【図２】本発明にかかるタンク設備の他の実施態様を示す説明図。
【図３】本発明にかかるタンク設備の他の実施態様を示す説明図。
【図４】本発明にかかるタンク設備の他の実施態様を示す説明図。
【図５】本発明にかかるタンク設備の他の実施態様を示す説明図。
【図６】本発明にかかるタンク設備の構築方法の実施態様を示す説明図。
【図７】本発明にかかるタンク設備の構築方法の他の実施態様を示す説明図。
【図８】本発明にかかるタンク設備の他の実施態様を示す説明図。
【図９】本発明にかかるタンク設備の構築方法の他の実施態様を示す説明図。
【図１０】本発明にかかるタンク設備の別の実施態様を示す説明図。
【図１１】本発明にかかるタンク設備の別の実施態様を示す説明図。
【発明を実施するための形態】
【００３４】
以下、実施形態又は実施例により本発明を詳細に説明する。その際、必要に応じて図表を参照しつつ説明するが、各図表において同じ部分又は相当する又は共通する部分にはこれと同じ符号を付し、一部の説明を省略する。いうまでもなく、本発明は、図面に記載された実施の形態や実施例に限定されない。
【００３５】
−本発明に係るタンク設備について−
【実施例１】
【００３６】
図１は、本発明にかかるタンク設備の一実施態様を示す説明図である。
【００３７】
なお、この図では、既設タンク、重量支持部材などの各構成要素の縮尺比は、現実のそれとは異なる。図中、各構成要素は、図を見る者による理解の便のため、敢えて強調的に描写されている（このことは、図２〜５、図８，１０、１１においても同様である）。
【００３８】
このタンク設備１は、開口部３を備える既設タンク２と、既設タンク２の外部又は周囲に存在する基盤４上に設置された重量支持部材５（５ａ、５ｂ）と、開口部３から既設タンク２の内部２aに向かって一部又は全部が装填された被装填物６（６１，６２）とを備えている。被装填物６は、固定手段７（７１、７２）により重量支持部材５に固定され、これにより被装填物６の一部又は全部の重量が、既設タンク２により支持されることなく、重量支持部材５により支持される。
【００３９】
既設タンク２は、何らかの使用目的又は設置目的のために現に設置されているタンクであり、その典型例は、現に設置されている、水蓄熱槽、化学反応用又は混合用の撹拌槽、汚泥処理槽などである。
【００４０】
なお、上記の典型例はいずれも、何らかの物質を積極的に収容するために設置された物品である。しかし、何らかの物質を積極的に収容するために設置された物品とはいえなくても、内部に何らかの物質を格納可能であれば、既設タンク２に該当し得ることは、「既設タンク」の定義及び解釈から明らかである。
【００４１】
開口部３は、既設タンク２の内部２ａと外部とを連結又は連通するものである。開口部３は、既設タンク２の設置当初から、その既設タンク２に設けられていたものであっても、設置後の必要に応じて新設したものであってもよい。例えば、設置当初の開口部の位置、大きさ、形状等が本発明に係る設備の構築のために不都合であるとき、その不都合を解消する必要から、既設タンク２の適当な位置に、適当な大きさ、形状等の開口部を新設することになる（設置当初の開口部については、状況が許せばこれを放置し、適当な方法でこれを封止してもよい）。こうして新設される開口部は、開口部３に該当する。
【００４２】
基盤４は、既設タンク２の外部又は周囲において重量支持部材５の設置を可能ならしめるものである。基盤４は、既設タンク２の設置のために形成された既存の基盤と同じものであれば足りるが、その既存の基盤を更に強化した部分であってもよく、新たな基盤として追加的に形成した部分であってもよい。
【００４３】
なお、既設タンク２は、既設タンク２の設置のために形成された既存の基盤上に、タンク設置用台座４ａを介して設置されている。  
重量支持材５は、既設タンク２の外部又は周囲に存在する基盤４上に設置されるとともに、被装填物６の一部又は全部の重量を支持する部材であり、２本の鉛直材５ａと１本の水平材５ｂで構成されている。重量支持部材５は、被装填物６の一部又は全部の重量を支持するに足る構造を有することが必要である。それ故、２本の鉛直材５ａと１本の水平材５ｂで構成されるだけでは重量支持材５全体として強度が不十分である場合には、鉛直材５ａと水平材５ｂとの間に斜方材（図示せず）を介設する、鉛直材５ａの数を増やし、それに応じて水平材５ｂや斜方材の数も増やす、などの必要な改善措置を講じるとよい。
【００４４】
被装填物６は、その一部又は全部が開口部３から既設タンク２の内部２ａに向かって装填される物品である。この図１では、被装填部材６として撹拌装置６１と配管６２が描かれているが、これは、被装填部材６をこれらの２種類のいずれか一方又は両方に限定する意図ではなく、単なる例示に止まる。また、この図１では、各被装填物６１、６２が、水平材５ｂを貫通しているように描かれているが、貫通している必要はない。
【００４５】
撹拌装置６１は、撹拌翼と、撹拌翼に回転力を伝達する回転軸と、回転軸を回転駆動させる駆動モータを備え、撹拌翼と撹拌翼が取り付けられている側の回転軸のかなりの部分が既設タンク２の内部２ａに装填されている。撹拌装置６１は、主として駆動モータ部分が水平材５ｂに固定されている。この結果、撹拌装置６１では、その全部又は略全部の重量が重量支持部材５により支持されることになる。
【００４６】
一方、配管６２は、鉛直配管６２ａとこれと連通する水平配管６２ｂとを備え、鉛直配管６２ａの開口端側のかなりの部分が既設タンク２の内部２ａに装填されている。水平配管６２ｂは、別の固定手段（図示せず）により支持されているので、配管６２の一部（特に鉛直配管６２ａ）の重量が水平材５ｂに掛かることになる。それ故、配管６２は、その一部の重量が重量支持部材５により支持されることになる。
【００４７】
鉛直配管６２ａ、水平配管６２ｂ及び両配管の連結部は、配管６２により目的物質の流通を実現できる限り（要するに配管６２により所与の目的を達成できる限り）、いかなるの構成、寸法、材質、連結方法等であってもよい。  
配管６２には、少なくとも鉛直配管６２ａを昇降動作させる昇降装置（図示せず）が付随していてもよく、その昇降装置を、更に別の固定手段（図示せず）により水平材５ｂに固定することにより、昇降装置の一部又は全部の重量を重量支持部材５により支持されるようにしてもよい。
【００４８】
固定手段７は、被装填物６を重量支持部材５の適所に固定する手段（部材、器具、装置等）である。固定手段７が被装填物６を重量支持部材５に固定する手法には、特に制限はなく、溶接による固着やボルト−ナットの螺合を始めとする公知の手法を、状況と必要に応じて任意に採用することができる。固定手段７は、タンク設備１（特に被装填物６）の保守点検作業を容易にするために、被装填物６を重量支持部材５に着脱可能又は着脱自在に固定するものであってよい。  
この図１では、固定手段７は、撹拌装置６１の主として駆動モータ部分を水平材５ｂに固定する手段７１と、鉛直配管６２ａを水平材５ｂに固定する手段７２である。
【００４９】
以上のように構成されるタンク設備１では、開口部３から既設タンク２の内部２ａに向かって一部又は全部が装填された物品、即ち各被装填物６１、６２の一部又は全部の重量が、既設タンク２に支持されることなく、且つ、既設タンク２の外部又は周囲に存在する基盤４上に設置された重量支持部材５により支持される。それ故、タンク設備１の既設タンク２には、被装填物６の一部又は全部の重量の負担が掛からないものとなる。  
より具体的には、例えば、時間の経過により強度が劣化していている既設タンク２或いは、物品の一部又は全部が内部に装填されることを前提に設計されていない又は設計時の想定を超える重量を支持可能なようには設計されていない既設タンク２を利用したタンク設備１であっても、当該既設タンク２には被装填物６の重量が過剰に掛からないものとなる。
【実施例２】
【００５０】
図２は、本発明にかかるタンク設備の他の実施態様を示す説明図である。図１に示された実施態様と同じ構成機器には同一符号を付して説明を省略し、異なる点を中心に説明する。
【００５１】
このタンク設備１は蓋部材８を備えている。蓋部材８は、被装填物６である配管６２の一部又は全部が内部２ａに装填された既設タンク２の開口部３を封じる又は閉じる部材である。ここで「封じる又は閉じる」と表現しているのは、既設タンク２の内部２ａの封止の程度を厳格には問わないことを意図したものである。タンク設備１やタンク設備１における既設タンク２の使用目的又は設置目的により蓋部材８に期待される役割は変わる。比較的大きな塵埃が外部から内部２ａに入り込まないようにすることが蓋部材８に期待される役割であれば、蓋部材８により開口部３を厳格に封止するまでもない。しかし、比較的小さな塵埃が外部から内部２ａに入り込まないようにすることや、内部２ａに収容される物質が外部に向かって配管６２のみを通じて移動するようにすること（従って開口部３を通じて外部に放散しないようにすること）が蓋部材８に期待される役割であれば、開口部３及び鉛直配管６２ａと蓋部材８との隙間を残さないほどに、蓋部材８とにより厳格に封止する必要がある。これらのような、蓋部材８に期待される種々の役割相応の内部２ａの密封の程度や違いを包括して、「封じる又は閉じる」と表現している。
【００５２】
蓋部材８は、それに期待される役割が充足されるものである限り、いかなる構造、寸法、材質、封止機構等であってもよい。例えば、蓋部材８は、複数個の部材から一体物に構成可能で、且つ、当該複数の部材に分割可能に構成されていてもよい。
【００５３】
蓋部材８の近傍又は周辺の別の部材（換言すれば、蓋部材８とは別の部材であって、蓋部材８の近傍又は周辺にあるもの）9に相当するものが、懸架手段９ａと遮蔽手段９ｂである。懸架手段９ａは、蓋部材８の外縁部において、蓋部材８と係合する手段（部材、器具、装置等）であり、主として水平材５ｂから蓋部材８を懸架することを目的として設置される。
【００５４】
遮蔽手段９ｂは、蓋部材８を取り囲むように配置して、既設タンク２の内部２ａと外部とを遮断する手段部材、器具、装置等）であり、例えば外部から既設タンク２の内部２ａに塵埃が入り込むことを防止又は抑制することを目的として設置される。
【００５５】
懸架手段９ａは、蓋部材８と係合する結果、十分近接して配置することになるので、「蓋部材の近傍の（蓋部材とは）別の部材」に該当する。遮蔽手段９ｂは、蓋部材８と直接接触してはいないものの、これを取り囲むように配置する結果、近接して配置することになるので、「蓋部材の周辺の（蓋部材とは）別の部材」に該当する。
【００５６】
懸架手段９ａは、蓋部材８の一部又は全部の重量並びに懸架手段９ａ自体の重量の一部又は全部が重量支持部材５により支持されるようにするための手段なので、その目的が達成可能である限り、いかなる構造、材質、懸架方法等であってもよい。遮蔽手段９ｂは、例えば外部から既設タンク２の内部２ａに塵埃が入り込むことを防止又は抑制することを目的として設置される手段であるので、その使用目的又は設置目的が達成可能である限り、いかなる構造、材質、取り付け方法等であってもよい。それ故、遮蔽手段９ｂの重量の一部を既設タンク２により支持されるように取り付けてもよい。
【００５７】
また、必要に応じて、懸架手段９ａにより蓋部材８を懸架することなく（従って懸架手段９ａを設けることなく）、蓋部材８の重量の全部を既設タンク２により支持されるようにしてもよく、このとき同時に遮蔽手段９ｂを設置しても設置しなくてもよい。
【００５８】
遮蔽手段９ｂは、遮蔽機能を果たす部分と当該部分を懸架する部分とが一体的に構成されているが、両部分を別々の部材又は部品として構成してもよい。  
蓋部材８及び遮蔽手段９ｂの一方により他方の機能を代替できる場合には、当該他方の設置を省略してもよい。  
固定手段７のうち、固定手段７３は、蓋部材８を重量支持部材５（特にその水平材５ｂ）から懸架する懸架手段９ａを、水平材５ｂに固定するための手段であり、固定手段７４は、遮蔽手段９ｂの一部を水平材５ｂに固定するための手段である。固定手段７３により懸架手段９ａが水平材５ｂに固定される結果、蓋部材８の一部又は全部の重量並びに懸架手段９ａ自体の重量の一部又は全部が重量支持部材５により支持される。また、固定手段７４により遮蔽手段９ｂの一部が水平材５ｂに固定される結果、遮蔽手段９ｂの重量の一部又は全部が重量支持部材５により支持される。
【００５９】
タンク設備に昇降装置（図示せず）を設けて、懸架手段９ａ、従って蓋部材８を昇降させ、これにより開口部３の開閉を行うようにしてもよく、この場合、当該昇降装置の一部又は全部の重量を重量支持部材５により支持するようにしてもよい。また、昇降装置（図示せず）を設けて、遮蔽手段９ｂの昇降又は開閉させるようにしてもよく、この場合、当該昇降装置の一部又は全部の重量を重量支持部材５により支持するようにしてもよい。
【００６０】
以上のように構成されるタンク設備１では、開口部３から既設タンク２の内部２ａに向かって一部又は全部が装填された物品、即ち被装填物（配管）６２の一部又は全部の重量並びに蓋部材８又はその近傍又は周辺の（蓋部材８とは）別の部材９の一部又は全部の重量が、既設タンク２に支持されることなく、且つ、既設タンク２の外部又は周囲に存在する基盤４上に設置された重量支持部材５により支持される。それ故、タンク設備１は、被装填物６並びに蓋部材８又はその近傍又は周辺の別の部材９の一部又は全部の重量の負担が既設タンク２に掛からないものとなる。
【００６１】
より具体的には、例えば、時間の経過により強度が劣化していている既設タンク２或いは、物品の一部又は全部が内部に装填されることを前提に設計されていない又は設計時の想定を超える重量を支持可能なようには設計されていない既設タンク２を利用したタンク設備１であっても、被装填物６並びに蓋部材８及びその近傍又は周辺の別の部材７の重量が、当該既設タンクに過剰に掛からないものとなる。
【実施例３】
【００６２】
図３は、本発明に係るタンク設備の他の実施例を示す説明図である。以下、図１及び２に示す実施態様と異なる点を焦点に当てて説明する。
【００６３】
この実施態様のタンク設備では、被装填物として配管６２、計測装置６３を備えている。配管６２は、その先端（タンク２内に装填される側の先端）に拡散装置（デフューザ）６２ｃを備える。計測装置６３は、例えば、タンク２内に収容される物質の温度、濃度、流速その他のパラメータを計測するための装置である。
【００６４】
重量支持部材５が設置される予定の位置及びその周辺の基盤４には、必要に応じて、重量支持部材５の重量を基盤４により支持するに足る基礎強化部４ｂが設けられる。
【００６５】
タンク設備１の水平材５ｂには装填補助部材１０が取り付けられている。 この装填補助部材１０は、被装填物６（６２、６３）の一部又は略全部が開口部３を通じて既設タンク２の内部２ａに装填されるように取り付けることを補助する役割を果たす部材であり、より具体的には、開口部３を通じてタンク２内に入り、タンク内部２ａの空間途中（すなわちタンク２の内部底面に到達しない位置）まで延垂又は懸架される部材である。この装填補助部材１０は、配管６２及び計測装置６３の一部又は全部がタンク内部２ａに装填される際に、その装填を容易又は確実ならしめる機能を有する。この機能を有する限り、装填補助部材１０の構造、形状、寸法、材質などは問わない。因みに、装填補助部材１０の構造の典型例は、管状体、網状体、骨材の組み合わせなどが典型例であり、その材質としては（タンク２に収容される物質の性質にもよるが）ステンレス鋼を採用できる。
【００６６】
装填補助部材１０が、水平材５aから延垂又は懸架されて到達するタンク内部２ａの空間途中の位置は、タンク２に収容された物質の最上面（当該物質が液体である場合には、タンク２上方の気相と液相との境界面）と同じ、或いは当該最上面よりも上又は下のいずれであってもよい。  
前記配管６２及び計測装置６３は、その一部又は全部が、水平材５ｂに取り付けられ、内部２ａの空間途中まで延垂又は懸架される装填補助部材１０に沿って、タンク内部２aに装填される。このとき、配管６２及び計測装置６３は、それぞれ、上下２箇所で、固定手段７５、７６により、装填補助部材１０に固定され、これにより、タンク内部２aに位置決めされる。被装填部材である配管６２及び計測装置６３は、３個以上の固定手段を用いることにより、３箇所以上で、装填補助部材１０に固定され、位置決めされていてもよい。固定手段７５、７６及びその他（３個目以上の）固定手段は、被装填部材（この実施態様では配管６２及び計測装置６３）を装填補助部材１０に固定し、位置決めするという目的を達成できれば、いかなる固定機構を採用するものであってもよく、その構造、形状、寸法、材質等にも特に制限はない。
【００６７】
タンク２には蓋部材８が取り付けられている。この蓋部材８は、配管６２及び計測装置６３の一部又は全部が内部２aに装填されたタンク２の開口部３を封じる又は閉じる部材である。（なお、「封じる又は閉じる」の意味は、実施例２において説明したとおりである）。装填補助部材１０と被装填物６との間の隙間を封じる又は閉じるためには、蓋部材８の形状が多少複雑になる。このような場合には、固定手段７５に蓋部材８の機能を持たせて、装填補助部材１０と被装填物６との間の隙間を封じる又は閉じるようにしてもよい。この場合、蓋部材８の重量は、装填補助部材１０と被装填物６との間の隙間を封じる又は閉じる部分が不要になる分だけ軽くなる。
【００６８】
タンク２と水平材５ｂとの間には懸架手段９ａが設けられている。この懸架手段９ａは、棒状又は線状（若しくは撚線状）の部材と、一方端に水平材５ｂへの取り付けを可能にする第１の機構と、他方端に蓋部材８への取り付けを可能にする第２の機構とを備えることにより、蓋部材８が水平材５ｂから懸架される状態を実現する手段である。当該部材は、蓋部材８が水平材５ｂから懸架される状態にあるときであると否とに拘らず、第１の機構と第２の機構との間の距離の伸長・短縮を可能にする距離調節機構（図示せず）を備えている。この距離調節機構により、水平材５ｂと蓋部材８との間の距離又はタンク２にかかる蓋部材８の重量の程度を調節することができるので、このタンク設備１のタンク２には、蓋部材８の一部又は全部の重量の負担が掛からないものとなる。
【００６９】
以上のように構成されるタンク設備１では、被装填物６の重量が、固定手段７５、７６等を介して装填補助部材１０に、装填補助部材１０を介して水平材５aに掛かることになるので、タンク２に掛かることがない。被装填物６の重量がタンク２に伝わることがあるとすれば、装填補助部材１０と蓋部材８との接触抵抗により、被装填物６の重量の一部が蓋部材８に伝わり、タンク２に掛かる場合に止まる。それ故、このタンク設備１では、被装填物６の全部又は殆ど全部の重量並びに蓋部材８の一部又は全部の重量が、タンク２に支持されることなく、且つ、タンク２の外部又は周囲に存在する基盤４上に設置された重量支持部材５により支持される。また、装填補助部材１０は、蓋部材８の近傍又は周辺の別の部材９と考えることができるので、タンク設備１は、被装填物６の全部又は殆ど全部の重量、蓋部材８の一部又は全部の重量及び蓋部材８の近傍又は周辺の別の部材９の全部又は殆ど全部の重量の負担がタンク２に掛からないものとなる、ともいえる。更に、固定手段７５に蓋部材８の機能を持たせて、装填補助部材１０と被装填物６との間の隙間を封じる又は閉じるようにする場合には、蓋部材８の重量を、装填補助部材１０と被装填物６との間の隙間を封じる又は閉じる部分の分だけ、軽くすることができるので、タンク２が受ける蓋部材８からの重量負荷をより軽減することができる。この場合、タンク２が受ける蓋部材８からの重量負荷がどの程度軽減されるかは、上記の距離調節機構による調節の仕方次第であるので、その調整により、タンク設備１は、被装填物６及び蓋部材８の重量の全部又は殆ど全部、或いは、被装填物６並びに蓋部材８及びその近傍又は周辺の別の部材９の全部又は殆ど全部の重量の負担がタンク２に掛からないものになる。
【００７０】
従って、例えば、時間の経過による強度の劣化が比較的大きい既設タンク２或いは、物品の一部又は全部が内部に装填されることを前提に設計されていない又は設計時の想定を超える重量を支持可能なようには設計されていない既設タンク２を利用したタンク設備１であっても、被装填物６及びその近傍又は周辺の部材の重量が当該既設タンク２に全く又は殆ど全く掛からないものとなる。
【実施例４】
【００７１】
図４は、本発明に係るタンク設備の他の実施例を示す説明図である。以下、原則として、図１、２及び３に示された実施の態様と異なる部分について説明し、共通する部分についての説明は省略する。  
この図４に示されたタンク設備１は、装填補助部材１０としての端部支持部材１０ａを配管６２の先端付近に備えており、この端部支持部材１０ａは、その下部がタンク２の内部２ａの底面に当接されているという特徴を有している。但し、このタンク設備１は、図３に示されたものと異なり、被装填物６としての計測装置６３を備えておらず、被装填物６としての配管６２の先端に拡散装置（デフューザ）６２ａを備えていない。
【００７２】
この実施態様に係る配管６２は、端部支持部材１０ａにより先端付近が支持されているので、このような支持がない場合に比して、タンク２に対して、その内部２ａにおいてより安定的に位置決めされる。
【００７３】
端部支持部材１０ａの下部をタンク２の内部２ａの底面に当接させるためには、当該底面がその当接に耐え得るだけの強度を有している必要がある。それ故、タンク２が新設タンクである場合には、その強度設計を、端部支持部材１０ａをタンク２の内部２ａの底面に当接させても支障がないように行い、設置タンク２が既設タンクである場合には、その強度評価の結果、端部支持部材１０ａをタンク２の内部２ａの底面に当接させても支障が生じないと認められるときに、図４に示された設備構造（端部支持部材１０ａをタンク内の底面に当接させる構造）を採用する。
【００７４】
タンク２が既設タンクであると否とに拘らず、配管６２又は装填補助部材１０（延いてはタンク２外の構造物５ａ、５ｂなど）とタンクの内部２ａの底面との間で衝撃力が伝達されないようにするために、例えば、端部支持部材１０ａをタンク２の内部２ａの底面との間に衝撃力緩衝材を介在させる、端部支持部材１０ａと配管６２の先端部とを互いに摺動自在にするなどの工夫を施すことが好ましい。
【００７５】
この実施態様に係るタンク設備１では、図３に示されたものと同様に、被装填物６の重量が、固定手段７５、７６等を介して装填補助部材１０に、装填補助部材１０を介して水平材５aに掛かり、タンク２に掛かることがない。このため、被装填物６の全部又は殆ど全部の重量並びに蓋部材８の一部又は全部の重量が、タンク２に支持されることなく、且つ、タンク２の外部又は周囲に存在する基盤４上に設置された重量支持部材５により支持される。また、タンク２には、被装填物６の全部又は殆ど全部の重量、蓋部材８の一部又は全部の重量及び蓋部材８の近傍又は周辺の別の部材９の全部又は殆ど全部の重量の負担が掛からないものとなる。更に、固定手段７５に蓋部材８の機能を持たせて、装填補助部材１０と被装填物６との間の隙間を封じる又は閉じるようにする場合には、蓋部材８の重量を、装填補助部材１０と被装填物６との間の隙間を封じる又は閉じる部分の分だけ、軽くすることができるので、タンク２が受ける蓋部材８からの重量負荷をより軽減することができる。
【００７６】
従って、例えば、時間の経過による強度の劣化が比較的大きい既設タンク２或いは、物品の一部又は全部が内部に装填されることを前提に設計されていない又は設計時の想定を超える重量を支持可能なようには設計されていない既設タンク２を利用したタンク設備１であっても、被装填物６及びその近傍又は周辺の部材の重量が当該既設タンク２に全く又は殆ど全く掛からないものとなる。
【実施例５】
【００７７】
図５は、本発明に係るタンク設備１の他の実施例を示す説明図である。以下、原則として、図１、２、３及び４に示された実施態様と異なる部分について説明し、共通する部分についての説明は省略する。  
この図に示されたタンク設備１は、被装填物としての撹拌装置６１を備え、また、装填補助部材１０の先端の脚部１０ｂが、タンク２の内部２ａの底面まで到達し、タンク２の内部２ａの底面に当接されているという特徴を有している。但し、このタンク設備１は、図３に示されたものと異なり、被装填物としての配管６２及び計測装置６３を備えていない。
【００７８】
撹拌装置６１の駆動モータは、装填補助部材１０の上部に取り付けられた係止部１０ｃにより、装填補助部材１０からタンク２の内部２ａに脱落しないように設置される。駆動モータにより回転駆動される回転軸は、装填補助部材１０に取り付けられた上部支承部１０ｅと下部支承部１０ｆにより、回転自在に支持される。下部支承部１０ｆの代わりに、図４に示された端部支持部材１０ａにより、ベアリングを介して回転軸の先端を回転自在に支持するようにしてもよい。
【００７９】
タンク２の内部２ａに収容された物質を撹拌装置６１により撹拌する際に、装填補助部材１０の存在が障害となる場合には、装填補助部材１０の適所に適当数の開孔連通部１０ｄを設けて、撹拌された物資の流通を容易ならしめる。  
装填補助部材１０の先端の脚部１０ｂをタンク２の内部２ａの底面に当接させることにより、装填補助部材１０それ自体、延いては、固定手段７５、７６等を介して装填補助部材１０に設置された撹拌装置６１は、そのような当接がない場合に比して、タンク２に対して、その内部２ａにおいてより安定的に位置決めされる。
【００８０】
装填補助部材１０の先端の脚部１０ｂをタンク２の内部２ａの底面に当接させるためには、当該底面がその当接に耐え得るだけの強度を有している必要がある。それ故、タンク２が新設タンクである場合には、その強度設計を、脚部１０ｂをタンク２の内部２ａの底面に当接させても支障がないように行い、設置タンク２が既設タンクである場合には、その強度評価の結果、脚部１０ｂをタンク２の内部２ａの底面に当接させても支障が生じないと認められるときに、図５に示された設備構造（脚部１０ｂをタンク内の底面に当接させる構造）を採用する。
【００８１】
タンク２が既設タンクであると否とに拘らず、装填補助部材１０（延いては、撹拌装置６３やタンク２外の構造物５ａ、５ｂなど）とタンクの内部２ａの底面との間で衝撃力が伝達されないようにするために、例えば、脚部１０ｂとタンク２の内部２ａの底面との間に衝撃力緩衝材を介在させる、などの工夫を施すことが好ましい。
【００８２】
このタンク設備１では、図３、４に示されたものと同様に、被装填物６の重量が、固定手段７５、７６等を介して装填補助部材１０に、装填補助部材１０を介して水平材５aに掛かる構成を採用している。この構成を採用することにより、被装填物６の重量が、タンク２に掛かることがないので、被装填物６の全部又は殆ど全部の重量並びに蓋部材８の一部又は全部の重量が、タンク２に支持されることなく、且つ、タンク２の外部又は周囲に存在する基盤４上に設置された重量支持部材５により支持される。また、被装填物６の全部又は殆ど全部の重量、蓋部材８の一部又は全部の重量及び蓋部材８の近傍又は周辺の別の部材９の全部又は殆ど全部の重量の負担がタンク２に掛からないものとなる。更に、固定手段７５に蓋部材８の機能を持たせて、装填補助部材１０と被装填物６との間の隙間を封じる又は閉じるようにする場合には、蓋部材８の重量を、装填補助部材１０と被装填物６との間の隙間を封じる又は閉じる部分の分だけ、軽くすることができるので、タンク２が受ける蓋部材８からの重量負荷をより軽減することができる。
【００８３】
従って、例えば、時間の経過による強度の劣化が比較的大きい既設タンク２或いは、物品の一部又は全部が内部に装填されることを前提に設計されていない又は設計時の想定を超える重量を支持可能なようには設計されていない既設タンク２を利用したタンク設備１であっても、被装填物６及びその近傍又は周辺の部材の重量が当該既設タンク２に全く又は殆ど全く掛からないものとなる。
【実施例６】
【００８４】
図８は、本発明に係るタンク設備の他の実施例を示す説明図である。以下、原則として既述の実施態様と異なる部分について説明し、共通する部分についての説明は省略する。
【００８５】
図８に示されたタンク設備１は、既設タンク２と、その内部２ａ（図示せず）に少なくとも一部が装填される被装填物６と、その被装填物６を支持する装填補助部材１０とを備えている。装填補助部材１０は水平材５ｂ上に設置される。  
水平材５ｂとこれと接合する垂直材５ａとを備えてなる重量支持部材５は、基盤４上に台座兼用水平材４ｄを更に備える。台座兼用水平材４ｄは、既設タンク２の周囲に設置され、重量支持部材５を構成する際の台座として機能する。  
被装填物６は、水平配管６２ｂに垂直配管６２ａの一端が接続することにより両配管が概ねＴ字状をなすとともに、垂直配管６２ａを挟んだ水平配管６２ｂの両側に遠隔又は手動操作可能なバルブ装置１１を備える配管系である。  
装填補助部材１０は、被装填物６としての配管系のＴ字部又はその近傍を位置決めし、必要に応じてバルブ装置１１も固定する部材である。この部材により、垂直配管６２の一部又は略全部が開口部３（図示せず）を通じて既設タンク２の内部２ａに装填されるように取り付けられる。図８では、被装填物６が一つしか描かれていないが、装填補助部材１０には二つ以上の被装填物６が設置されていてもよい（例えば、図１０に示された被装填物６２１、６２２参照）。
【００８６】
なお、被装填物６の一部又は略全部が開口部３を通じて既設タンク２の内部２ａに装填されるように取り付けることを補助する役割を果たす部材であるという点で、図８における装填補助部材１０と図３における装填補助部材１０とは同じである。しかし、図３における装填補助部材１０が開口部３を通じてタンク２内に入り、タンク内部２ａの空間途中まで延垂又は懸架される部材であるのに対し、図８における装填補助部材１０が水平材５ｂ上にのみ設置される部材である点で、両者は異なる。
【００８７】
既設タンク２には蓋部材８が取り付けられている。この蓋部材８は、垂直配管６２ａの一部又は略全部が内部２aに装填された既設タンク２の開口部３（図示せず）を封じる又は閉じる部材である。（なお、「封じる又は閉じる」の意味は、実施例２において説明したとおりである）。蓋部材８は、重量支持部材５の適所に設けられた固定デッキ９ｃと接続する懸架手段９ａにより、固定デッキ９ｃを介して重量支持部材５により支持される。
【００８８】
既設タンク２の補強措置には、少なくともタンク内部に施すものとタンク外部に施すものとがあり、前者の例は、タンク内壁面のライニング処理であり、後者の例は、タンク外周の耐振補強工事である。タンク基礎の地盤強化も、広く捉えれば、後者の一例である。図８に示されたタンク設備１では、既設タンク２の補強措置として、基礎強化部４ｂの構築に加えて、タンク補強手段１２の設置がなされている。タンク補強手段１２は、既設タンク２の外周を囲むように設置された柱状部材１２ａと、柱状部材１２ａにより支持され、巻き付くように既設タンク２の外周に設置された胴周補強部材１２ｂと、重量支持部材５との間隙を埋める間隙充填部材１２ｃとを備えている。間隙充填部材１２ｃは、振動や衝撃を吸収する機能（図示せず）を備えた部材であり、振動や衝撃を吸収する素材により形成された部材であってもよい。柱状部材１２ａの一部又は全部を鉛直材５ａにより代用してもよい（その場合には、間隙充填部材１２ｃの少なくとも一部の設置を省略することができる）。胴周補強部材１２ｂとタック外周壁面との間に、振動や衝撃を吸収する素材により形成された部材（図示せず）を設けてもよい。
【００８９】
既設タンク２には、補強措置以外の処理、例えば、既設ンク２の外壁面への断熱材の敷設を施してもよい。  
この実施態様に係るタンク設備１では、装填補助部材１０が水平材５ｂ上に設置されることにより、被装填物６の重量の少なくとも一部が重量支持部材５により支持され、被装填物６の重量が既設タンク２に過度に掛かることがない。また、蓋部材８の重量の一部又は全部が、懸架手段９ａ及び固定デッキ９ｃを介して重量支持部材５により支持されるので、被装填物６の重量が既設タンク２に過度に掛かることがない。従って、時間の経過による強度の劣化が比較的大きい既設タンク２であっても、物品の一部又は全部が内部に装填されることを前提に設計されていない又は設計時の想定を超える重量を支持可能なようには設計されていない既設タンク２であっても、そのような既設タンク２を利用したタンク設備１において、被装填物６及びその近傍又は周辺の部材の重量が当該既設タンク２に全く又は殆ど全く掛からないものとなる。しかも、既設タンク２は、補強措置が施されているので、被装填物６及び蓋部材８のそれぞれの重量の一部が掛かっても又は多少余計に掛かっても、当該既設タンク２が壊れるようなことはない。
【００９０】
−本発明に係る設備の構築方法について−
【実施例７】
【００９１】
図１に示されたタンク設備１の構築方法は、種々あり得る。以下に、図６を参照してその例を幾つか説明する。  
（ア）設備構築に必要な準備
まず、タンク設備１の構築に必要な準備、即ち、既設タンク２、開口部３、基礎４、重量支持部材５、被装填物６、固定手段７の各準備を済ませておく。例えば、次のとおりである。  
タンク設備１の使用目的又は設置目的に適う既設タンク２を選定する。必要に応じて既設タンク２に開口部３を予め設けておく（開口部３を予め設けておく必要がない場合には、被装填物６の一部又は全部を既設タンク２の内部２ａに装填するときまでに、開口部３を既設タンク２に設ければ足りる）。
【００９２】
基礎４の準備の場合、既設タンク２が設置されている既設基盤を、重量支持部材５を設置するための基盤４として転用できるかどうかを検討し、転用できる場合にはその場所を基盤４とし、転用することができない場合には、適当場所に基盤を増設するか、適用場所の既設基盤に地盤強化処理を施すことにより、当該適用場所を基盤４とする。
【００９３】
重量支持部材５の場合、垂直材５ａの一方の端部に、当該垂直材５ａを基盤４上に設置するために必要な加工を施しておき、他方の端部に、水平材５ｂと連結するために必要な加工を施しておく。水平材５ｂの両端部に垂直材５ａと連結するために必要な加工を施し、中間部に被装填物６（６１、６２）や固定手段７（７１、７２）の取り付けのために必要な加工を施しておく。
【００９４】
（イ）構築方法の例〔１〕  
タンク設備１の構築に必要な準備が完了した後、既設タンク２の外部又は周囲の基盤４上に垂直材５ａを設置する。その後、既設タンク２の上方をわたるように（既設タンク２と接触しないほどの直上又は既設タンク２からある程度離隔した上方に）垂直材５ａ間に水平材５ｂを設置し、重量支持部材５を完成させる。このとき、必要に応じて、斜方材や補強部材を用いて、重量支持部材５全体の強度を高めておく。
【００９５】
次いで、水平材５ｂに、各被装填物６１、６２を、その一部又は全部が開口部３を通じて既設タンク２の内部２ａに装填されるように取り付け、固定手段７１、７２により固定する。  
以上により、図１に示されたタンク設備１が構築される。
【００９６】
（ウ）構築方法の例〔２〕  
タンク設備１の構築に必要な準備が完了した後、既設タンク２の外部又は周囲の基盤４上に垂直材５ａを設置する。その後、垂直材５ａ間に水平材５ｂを設置する前に、水平材５ｂに各被装填物６１、６２を取り付け、固定手段７１、７２により固定しておく。  
次に、この水平材５ｂを、既設タンク２の上方をわたるように（既設タンク２と接触しないほどの直上又は既設タンク２からある程度離隔した上方に）、且つ、各被装填物６１、６２の一部又は全部が開口部３を通じて既設タンク２の内部２ａに装填されるように、垂直材５ａ間に設置する。このとき、必要に応じて、斜方材や補強部材を用いて、重量支持部材５全体の強度を高める。  
以上により、図１に示されたタンク設備１が構築される。
【００９７】
（エ）構築方法の例〔３〕
タンク設備１の構築に必要な準備が完了した後、既設タンク２の外部又は周囲の基盤４上に垂直材５ａを設置する。その後、垂直材５ａ間に水平材５ｂを設置する前に、水平材５ｂに被装填物６１、６２の一方又は両方の一部を取り付け、固定手段７１、７２により固定しておく。  
次に、この水平材５ｂを、既設タンク２の上方をわたるように（既設タンク２と接触しないほどの直上又は既設タンク２からある程度離隔した上方に）、垂直材５ａ間に設置する。このとき、必要に応じて、斜方材や補強部材を用いて、重量支持部材５全体の強度を高める。  
更に、水平材５ｂに既に取り付けてある被装填物６１、６２の一方又は両方の一部に、その残部を、各被装填物６１、６２の一部又は全部が開口部３を通じて既設タンク２の内部２ａに装填されるように取り付ける。  
以上により、図１に示されたタンク設備１が構築される。
【実施例８】
【００９８】
図２に示されたタンク設備１の構築方法は、種々あり得る。以下に、図６を参照してその例を幾つか説明する。  
（ア）設備構築に必要な準備
タンク設備１の構築に必要な準備、即ち、既設タンク２、開口部３、基礎４、重量支持部材５、被装填物６（６２）、固定手段７（７２、７３）、蓋部材８及びその近傍又は周辺の別の部材９（９ａ、９ｂ）の各準備を済ませておく。既設タンク２、開口部３、基礎４、重量支持部材５、被装填物６及び固定手段（７２）の各準備については、実施例３の（ア）の説明が概ね（必要な読み替えを行うことにより）当て嵌まる。
【００９９】
蓋部材８の準備の場合、開口部３を封じる又は閉じるに足る大きさ、形状等の蓋部材８を選択する。蓋部材８を懸架手段９ａにより蓋部材８を懸架する場合には、蓋部材８が既設タンク２の内部２ａに落下する心配はない。しかし、懸架手段９ａにより蓋部材８を懸架することなく、蓋部材８の重量の全部を既設タンク２により支持されるようにする場合には、開口部３の大きさを上回り、既設タンク２に当接又は係合する部分を蓋部材８に設けることにより、蓋部材８が既設タンク２の内部２ａに落下しないようにする必要がある。この場合、蓋部材８をできるだけ軽量な素材で形成する（例えば、少なくとも一部を繊維強化プラスチック製とする）ことにより、既設タンク２に掛かる重量を極力低減させることが望ましい。  
蓋部材８の近傍又は周辺の（蓋部材８とは）別の部材９（９ａ、９ｂ）の準備の場合、水平材５bの中間部に被装填物６（６２）、別の部材９（９ａ、９ｂ）、固定手段７（７２、７３）の取り付けのために必要な加工を施しておく。
【０１００】
（イ）構築方法の例〔４〕
構築方法の例〔１〕乃至〔３〕のいずれかにより、図１に示されたタンク設備１を構築した後、更に、開口部３を封じる又は閉じる蓋部材８を、固定手段７３により水平材５ｂに固定された懸架手段９ａと係合させて、水平部材５ｂから懸架されるように設置する。そして、必要に応じて、遮蔽手段９ｂを、固定手段７４により水平材５ｂに固定することにより、蓋部材８の周囲を蓋部材８の周囲を取巻くように設置する。これらにより、既設タンク２の内部２ａと外部とを遮断する。  
以上により、図２に示されたタンク設備１が構築される。
【０１０１】
図３〜５にそれぞれ示されたタンク設備１の構築方法は、種々あり得る。しかし、設備の構築方法を構成する工程に着目すると、装填補助部材１０を準備する工程、タンク２の開口部３から内部２ａに向かって被装填物６を装填する前に、装填補助部材１０を設置する工程が追加されている点（より厳密には、設置された装填補助部材１０に被装填物６を装填する工程も追加されている点）を除き、図１及び２に示されたタンク設備１の構築方法と殆ど同じといってよく、具体的には、図７に示された工程フローとなる。
【実施例９】
【０１０２】
図３に示されたタンク設備１の構築方法の一例について、図７を参照して説明する。
【０１０３】
（ア）設備構築に必要な準備
まず、タンク設備１の構築に必要な準備、即ち、既設タンク２、開口部３、基礎４、重量支持部材５、被装填物６、固定手段７の各準備を予め済ませておく。これは実施例７の場合と同様なので説明を省略する。なお、必要に応じて、重量支持部材５が設置される予定の位置及びその周辺の基盤４に、重量支持部材５の重量を基盤４により支持するに足る基礎強化部４ｂを設けておく。
【０１０４】
（イ）構築方法の例〔５〕
タンク設備１の構築に必要な準備が完了した後、既設タンク２の外部又は周囲の基盤４上に垂直材５ａを設置する。その後、既設タンク２の上方をわたるように（既設タンク２と接触しないほどの直上又は既設タンク２からある程度離隔した上方に）垂直材５ａ間に水平材５ｂを設置し、重量支持部材５を完成させる。このとき、必要に応じて、斜方材や補強部材を用いて、重量支持部材５全体の強度を高めておく。
【０１０５】
次いで、水平材５ｂに、装填補助部材１０を水平材５ｂに取り付ける。装填補助部材１０は、被装填物６（６２、６３）の一部又は全部が開口部３を通じて既設タンク２の内部２ａに装填されるように取り付けることを補助する役割を果たす部材であり、且つ、それで足りる。それ故、装填補助部材１０は、その一部又は全部が開口部３を通じて既設タンク２の内部２ａに懸架されるように取り付けられる。
【０１０６】
引き続き、各被装填物６２、６３を、その一部又は全部が開口部３を通じて既設タンク２の内部２ａに装填されるように装填補助部材１０に取り付け、固定部材７５、７６により固定する。これにより、被装填物６が、その一部又は全部が開口部３を通じて既設タンク２の内部２ａに、装填補助部材１０を介して装填されることになる。
【０１０７】
更に、開口部３を封じる又は閉じる蓋部材８を、水平材５ｂに一端が固定された懸架手段９ａの他端と係合させて、水平材５ｂから懸架されるように設置する（必要に応じて、遮蔽手段９ｂ（図示せず）を、水平材５ｂに固定することにより、蓋部材８の周囲を蓋部材８の周囲を取巻くように設置してもよい）。これより、既設タンク２の内部２ａと外部とを遮断する。その遮断の程度は、タンク設備１の使用目的に応じて選択すればよい。  
以上により、図３に示されたタンク設備１が構築される。
【０１０８】
なお、上記の構築方法においては、各被装填物６２、６３の一部又は全部を予め装填補助部材１０に取り付け、固定部材７５、７６により固定して一体化させたものを、水平材５ｂに取り付けるようにしてもよい。この場合、水平材５ｂは、垂直材５ａに設置する前であっても後であってもよい。水平材５ｂを垂直材５ａに設置したとき、装填補助部材１０への固定が完了していない被装填物６があるときは、その後、その固定を完了させる。
【０１０９】
拡散装置６２ｃを先端に備えた配管６２を、垂直材５ａに水平材５ｂが設置され、その水平材５ｂに装填補助部材１０が取り付けられた後に、タンク２の内部２ａに装填すると、装填補助部材１０の存在がその装填の障害となる場合がある。このような場合に、上記のような、装填補助部材１０に被装填物６２の一部又は全部を予め取り付け固定しておく手法や、そのうえ更に水平材５bに取り付けておく手法が、有益となる。
【実施例１０】
【０１１０】
図４に示されたタンク設備１の構築方法の一例について、図７を参照して説明する。
【０１１１】
（ア）設備構築に必要な準備
タンク設備１の構築に必要な準備、即ち、既設タンク２、開口部３、基礎４、重量支持部材５、被装填物６、固定手段７の各準備を済ませておく。これは実施例７の場合と同様なので説明を省略する。
【０１１２】
（イ）構築方法の例〔６〕
図４に示されたタンク設備１が、図３に示されたものと異なる点は、端部補助部材１０aが存在すること、換言すれば装填補助部材１０が、タンク２の内部２aの底面にも存在することであり、その構築方法は、端部補助部材１０aを設置する工程を除き、図３に示されたタンク設備１の構築方法と同じといってよい。  
端部補助部材１０ａを設置する工程は、一括りすると、装填補助部材１０を設置する工程といえる。しかし、その工程は、被装填物６２の先端をタンク２の内部２ａに配置させる前までに完了していれば足り、どのタイミングで実行するかは、構築事案に応じて決定することができる。  
かくして、図４に示されたタンク設備１が構築される。
【実施例１１】
【０１１３】
図５に示されたタンク設備１の構築方法の一例について、図７を参照して説明する。
【０１１４】
（ア）設備構築に必要な準備
タンク設備１の構築に必要な準備、即ち、既設タンク２、開口部３、基礎４、重量支持部材５、被装填物６、固定手段７の各準備を済ませておく。これは実施例７の場合と同様なので説明を省略する。
【０１１５】
（イ）構築方法の例〔７〕
図５に示されたタンク設備１が、図３に示されたものと異なる点の一つは、装填補助部材１０がタンク２の内部２ａの底面まで到達し、脚部１０ｂにおいて当該底面と接触していることである。この構成により、装填補助部材１０とそれに取り付けられた被装填物（撹拌装置）６１の重量の少なくとも一部が当該底面により支持されることになる。この意味からすると、装填補助部材１０を設置する工程を実行するタイミングには特に制限はない。重量支持部材５を構築した後に、水平材５ｂに装填補助部材１０を取り付け、引き続き、その装填補助部材１０に被装填物（撹拌装置）６２に取り付けてもよく、被装填物６２の一部又は全部を予め取り付けておいた装填補助部材１０を水平材５ｂに取り付けてもよい（この場合、装填補助部材１０に取り付けられていない被装填物６の残部については、水平材５ｂに装填補助部材１０を取り付けた後に、残りの取り付けを完了するようにすればよい）。
【０１１６】
図５に示されたタンク設備１が、図３に示されたものと異なる他の点は、装填補助部材１０が、撹拌装置６１の撹拌翼付き回転軸を回転自在に支承する上部支承部１０ｅと下部支承部１０ｆを備えていることである。装填補助部材１９を、その脚部１０ｂがタンク２の内部２ａの底面に接触するように配置した後に、上部支承部１０ｅと下部支承部１０ｆを、撹拌装置６１の回転軸を承するように設置することは不可能ではない。従って、その場合には、例えば、重量支持部材５として完成した後の水平材５ｂに装填補助部材１０を、その脚部１０ｂがタンク２の内部２ａの底面に接触するように取り付け、撹拌装置６１のうち撹拌翼付き回転軸以外の部分（特に図５に示された駆動モータの部分）を係止部１０ｃにおいて装填補助部材１０に取り付け、その後、撹拌装置６１に別途取り付けられた又は撹拌装置６１が当初から具備していた撹拌翼付き回転軸を、上部支承部１０ｅと下部支承部１０ｆを介して装填補助部材１０に取り付けるという手順でタンク設備１を構築する。
【０１１７】
装填補助部材１０を、その脚部１０ｂがタンク２の内部２ａの底面に接触するように配置した後に、上部支承部１０ｅと下部支承部１０ｆを、撹拌装置６１の回転軸を承するように設置することが不可能若しくは困難な場合又はそのようなことを極力回避したい場合には、例えば、撹拌翼付き回転軸を含む撹拌装置６１全体を、予め装填補助部材１０に取り付けておき（従って、この段階で既に撹拌翼付き回転軸は上部支承部１０ｅと下部支承部１０ｆを介して装填補助部材１０に取り付けられている）、その後、垂直材５ａに設置済みの水平材５ｂに取り付けて又は、垂直材５ａに設置前の水平材５ｂに取り付けて、その水平材５ｂを垂直材５ａに設置することにより、装填補助部材１０を、その脚部１０ｂがタンク２の内部２ａの底面に接触するように取り付けるという手順でタンク設備１を構築すればよい。  
図３に示されたタンク設備１との構造上の相違に起因する、上記の工程を除き、図５に示されたタンク設備１の構築方法は、図３に示されたものと同じといってよいので、説明を省略する。  
かくして、図５に示されたタンク設備１が構築される。
【実施例１２】
【０１１８】
図８に示されたタンク設備１の構築方法の一例について、図９を参照して説明する。以下、原則として既述の実施態様と異なる部分について説明し、共通する部分についての説明は省略する。  
（ア）設備構築に必要な準備
まず、タンク設備１の構築に必要な準備、即ち、既設タンク２、開口部３、基礎４、重量支持部材５、被装填物６（６２）、蓋部材８、蓋部材８の近傍又は周辺の別部材９（９ａ、９ｃ）及び装填補助部材１０、バルブ装置１１の各準備を予め済ませておく。これは、実施例８の場合と概ね同様なので、相違点を除き、説明を省略する。
【０１１９】
被装填物６は、垂直配管６２ａ、水平配管６２ｂ及び二つのバルブ装置１１を備えるＴ字型配管系であるが、準備段階で、Ｔ字型配管系として完成させてもよく、タンク設備１の構築過程において最終的に当該Ｔ字型配管系になるようにしてもよい。例えば、タンク設備１の構築の過程で、予め用意しておいたＴ字型配管継手を装填補助部材１０に固定し、そのＴ字型端部が備える三つの端部のうち水平方向に開口する二つのそれぞれにバルブ装置１１を取り付け、更に水平配管６２ｂを取り付けるとともに、残る垂直方向に開口する端部に垂直配管６２ａを取り付けることにより最終的に、当該Ｔ字型配管系を構成するようにしてもよい。
【０１２０】
固定デッキ９ｃは、懸架手段９ａを介して蓋部材８の重量の少なくとも一部を支持するものなので、重量支持部材５が完成する前に鉛直材５ａに取り付けられていれば足りる。それ故、重量支持部材５を組み立てる前に固定デッキ９ｃを鉛直材５ａに取り付けておいてもよい。  
必要に応じて、重量支持部材５が設置される予定の位置及びその周辺の基盤４に、重量支持部材５の重量を基盤４により支持するに足る基礎強化部４ｂを設けておく。この点は、実施例９と同様である。  
また、必要に応じて、補強措置及びその他の処理を既設タンク２に施しておく。これらの処理は、可能であれば、タンク設備１の構築の過程で行ってもよい。
【０１２１】
（イ）構築方法の例〔８〕
設備構築に必要な準備の際に、補強措置及びその他の処理を既設タンク２に施したとする。この結果、既設タンク２には、間隙充填部材１２ｃを除くタンク補強手段１２が取り付けられる。また、被装填物６としての配管系は、Ｔ字型配管継手、垂直配管６２ａ、垂直配管６２ｂ及びバルブ装置１１に分解可能であるとする。
【０１２２】
まず、基盤４の上（基盤強化部４ｂを設けた場合には、その基盤強化部４ｂの上）に台座兼用水平材４ｄを設置し、既設タンク２の外部又は周囲の基盤４上に垂直材５ａを設置する。垂直材５ａを設置する際には、垂直材５ａと柱状部材１２ａとの間に間隙充填部材１２ｃを介在させる。その後、既設タンク２の上方をわたるように（既設タンク２と接触しないほどの直上又は既設タンク２からある程度離隔した上方に）垂直材５ａ間に水平材５ｂを設置し、重量支持部材５を完成させる。このとき、必要に応じて、斜方材や補強部材を用いて、重量支持部材５全体の強度を高めておく。
【０１２３】
次いで、水平材５ｂに、装填補助部材１０を水平材５ｂ上に取り付け、当該装填補助部材１０に、被装填物６としてのＴ字型配管系の一部を構成するＴ字型配管継手を固定する。
【０１２４】
装填補助部材１０に固定されたＴ字型配管継手が備える三つの端部のうち水平方向に開口する二つのそれぞれにバルブ装置１１を取り付け、更に水平配管６２ｂを取り付けるとともに、残る垂直方向に開口する端部に垂直配管６２ａを取り付けることにより、当該Ｔ字型配管系を完成させる。装填補助部材１０により、バルブ装置１１を固定するように構成してもよい。
【０１２５】
最後に、蓋部材８を、懸架手段９ａを介して固定デッキ９ｃに取り付けて、既設タンク２の開口部３（図示せず）を封じる又は閉じるように配置させる。  
なお、水平材５ｂを用意する段階で、水平材５ｂに装填補助部材１０を予め取り付けておいてもよく、その装填補助部材１０に更に、Ｔ字型配管系の一部を構成するＴ字型配管継手を予め固定しておいてもよい。更に、Ｔ字型配管継手には、バルブ装置１１を予め取り付けておいてもよく、当該バルブ装置１１を介して更に水平配管６２ａを予め取り付けておいてもよい。Ｔ字型配管継手にバルブ装置１１や水平配管６２ｂを取り付ける前に、垂直配管６２ａを取り付けておいてもよい。  
以上により、図８に示されたタンク設備１が構築される。
【０１２６】
−本発明に係る他のタンク設備及びその構築方法について−
【実施例１３】
【０１２７】
＜多セル型タンク設備＞
タンク設備の他の形態として、少なくとも一つのタンク２が設置される単位空間（セル）Ｃを複数個備え、各タンクに対応する重量支持部材５により被装填物６の重量の少なくとも一部が支持されるように構成される多セル型タンク設備について説明する。多セル型タンク設備は、これまで説明してきた、セル数が一つのタンク設備（単セル型タンク設備）とは異なり、複数個のセルが一次元又は二次元或いは三次元に配置されてなるものである。
【０１２８】
図１０は、多セル型タンク設備の一例を示す説明図である。この図に示されたタンク設備１は、基盤４上（又は基盤４上に必要に応じて設けられた基礎強化部４ｂ、４ｃ上）に構築され、複数個のセルＣ１〜Ｃ４と、各セルに設置された合計複数個のタンク２１〜２４と、各タンクに設けたれた重量支持部材５１と、各タンクの内部に少なくとも一部が装填される合計複数個の被装填物６２１、６２２と、各被装填物の少なくとも一部が対応する各タンクの内部に装填されることを補助する合計複数個の装填補助部材１０１〜１０８とを備える。重量支持部材５１は、台座兼用水平材４ｄを台座として構築されており、水平材５１ｂと、台座兼用水平材４ｄと水平材５１ｂとの間に配置する垂直材５１ａとを備える。
【０１２９】
被装填物６２１、６２２は、いずれも、水平配管に複数個の垂直配管の一端が接続することにより形成される複数個のＴ字部を各タンクの開口部３（図示せず）に対応した位置に備えるとともに、当該水平配管の適当箇所に適当個数に設置されたバルブ装置１１（図示せず）と、必要に応じて設置されたポンプ装置やその他の機器・装置（いずれも図示せず）とを更に備える。被装填物６２１、６２２は、いずれも、概ね、配管系６２が水平方向に連結したものといえる。
【０１３０】
<<セルＣ１について>>
タンク２１が設置されるセルＣ１は、図８に示されたタンク設備と基本構成が概ね同じである。即ち、セルＣ１は、何らかの目的で設計又は設置された既設タンク２１と、タンク２１の外部に設置される重量支持部材５１と、被装填物６としての配管系６２１、６２２と、各配管系の少なくとも一部がタンク２１の開口部３（図示せず）を通じてタンク内部に装填されることを補助する一組の装填補助部材１０１、１０２と、開口部３を封じる又は閉じる蓋部材８と、既設タンク２１の強度を高めるためのタンク補強手段１２とを備える。
【０１３１】
重量支持部材５１は、基盤４上（又は基盤４に必要に応じて設けられた基盤強化部４ｂ上）に設置された台座兼用水平材４ｄを台座として構築されており、水平材５１ｂと、台座兼用水平材４ｄと水平材５１ｂとの間に配置する垂直材５１ａとを備える。装填補助部材１０２、１０３は、水平材５１ｂ上に設置され、それぞれ、配管系６２１、６２２が備えるＴ字部の近傍を位置決めする。装填補助部材１０２、１０３は、遠隔又は手動操作可能なバルブ装置１１やその他の機器・装置（いずれも図示せず）の位置決めもする場合がある。蓋部材８は、重量支持部材５の適所に設けられた固定デッキ９ｃと接続する懸架手段９ａにより、固定デッキ９ｃを介して重量支持部材５により支持される。
【０１３２】
このような基本構成ゆえ、セルＣ１の部分では、装填補助部材１０１、１０２が水平材５１ｂ上に設置されることにより、配管系６２１、６２２の重量の少なくとも一部が重量支持部材５により支持され、既設タンク２１に過度に掛かることがない。また、蓋部材８の重量の一部又は全部が、懸架手段９ａ及び固定デッキ９ｃを介して重量支持部材５により支持されるので、既設タンク２１に過度に掛かることがない。従って、時間の経過による強度の劣化が比較的大きい既設タンク２１であっても、物品の一部又は全部が内部に装填されることを前提に設計されていない又は設計時の想定を超える重量を支持可能なようには設計されていない既設タンク２であっても、そのような既設タンク２を利用したタンク設備１において、被装填物６及びその近傍又は周辺の部材の重量が当該既設タンク２に全く又は殆ど全く掛からないものとなる。しかも、既設タンク２は、補強措置が施されているので、被装填物６及び蓋部材８のそれぞれの重量の一部が掛かっても又は多少余計に掛かっても、当該既設タンク２が壊れるようなことはない。
【０１３３】
<<セルＣ２〜Ｃ４について>>
セルＣ２〜Ｃ４には、それぞれ、新規に増設したタンク２２〜２４が設置される。即ち、各セルＣ（Ｃ２〜Ｃ４）は、タンク設備１の設置目的を達成するために設計され、設置されたタンク２（２２〜２４）と、タンク２の外部に設置される重量支持部材５１と、被装填物６としての配管系６２１、６２２と、各配管系の少なくとも一部がタンク２の開口部３（図示せず）を通じてタンク内部に装填されることを補助する一組の装填補助部材１０（１０３と１０４、１０５と１０６、１０７と１０８）とを備える。その他にも、タンク２の設計が許す限り、開口部３を封じる又は閉じる蓋部材８やタンク２の強度を高めるためのタンク補強手段１２を備えていてもよい。蓋部材８を設ける場合には、その蓋部材の近傍又は周辺に別の部材９（例えば、セルＣ１の場合のように、重量支持部材５１の適所に設置した固定デッキ９ｃと、そこから蓋部材を懸架する懸架手段９ａ）を設けて、蓋部材８の重量の一部又は全部が、重量支持部材５により支持されるようにするのが好ましい。
【０１３４】
重量支持部材５１は、基盤４上（又は基盤４に必要に応じて設けられた基盤強化部４ｃ上）に設置された台座兼用水平材４ｄを台座として構築されており、水平材５１ｂと、台座兼用水平材４ｄと水平材５１ｂとの間に配置する垂直材５１ａとを備える。図中、重量支持部材５１は、各セル（Ｃ１を含む）に対応する重量支持部材が一体物として構成されているが、各セルに対応する独立の重量支持部材が横並びに配置する構成であってもよく、一部のみが一体物として構成され、残部が独立の重量支持部材が横並びに配置するように構成されていてもよい。
【０１３５】
装填補助部材（１０３と１０４、１０５と１０６及び１０７と１０８）の各組は、水平材５１ｂ上の各タンクの開口部３（図示せず）に対応する位置に設置され、それぞれ、配管系６２１、６２２が備えるＴ字部の近傍を位置決めする。装填補助部材の各組は、遠隔又は手動操作可能なバルブ装置１１やその他の機器・装置（いずれも図示せず）の位置決めもする場合がある。
【０１３６】
このような基本構成ゆえ、セルＣ２〜Ｃ４のそれぞれの部分では、装填補助部材の組（１０３と１０４、１０５と１０６又は１０７と１０８）が水平材５１ｂ上に設置されることにより、配管系６２１、６２２の重量の少なくとも一部が重量支持部材５により支持され、タンク２２〜２４のそれぞれに過度に掛かることがない。蓋部材８と懸架手段９を設けた場合には、当該蓋部材８の重量の一部又は全部が重量支持部材５１により支持されることになるので、やはり、好ましい。重量その近傍又は周辺の部材９によりの重量の一部又は全部が、懸架手段９ａ及び固定デッキ９ｃを介して重量支持部材５により支持されるので、タンク２２〜２４のそれぞれに過度に掛かることがない。従って、設計や製作に係る条件上、過度の荷重が掛からないようにする必要があるタンクや、時間の経過による強度の劣化を極力回避する必要があるタンクであっても、そのようなタンクが設置される各セルＣにおいて、被装填物６及びその近傍又は周辺の部材の重量が当該既設タンク２に全く又は殆ど全く掛からないものとなる。
【０１３７】
<<小括>>
図１０に示されたタンク設備１では、少なくとも、被装填物６である配管系６２１、６２２の重量の少なくとも一部が重量支持部材５により支持され、タンク２１〜２４のそれぞれに過度に掛かることがない。このような長所は、タンク２１〜２４のうち一部又は全部が既設タンク又は新設タンクであることとは無関係である（ただし、タンク２１〜２４のより多くが既設タンクである方が好ましい。より多くの既設タンクを他目的に利用できるからである）。従って、多セル型タンク設備は、各セルに設置されるタンクが既設タンクであるか新規タンクであるかに拘らず、被装填物６の重量の少なくとも一部が重量支持部材５により支持され、各セルに設置されるタンクに過度に掛かることがない、という長所を有するといえる。
【０１３８】
また、この長所は、単セル型タンク設備にセルを追加して多セル型タンク設備にしても、多セル型タンク設備に更にセルを追加しても、変わらず維持されるものである。それ故、タンク設備をセル単位で増設する際には、特に有益である。
【０１３９】
<<多セル型タンク設備の他の例>>
セル単位で増設可能な多セル型タンク設備の一例を、タンク設備１をタンク２上方から眺めた平面図として図１１に示す。この図では、設備稼働のためには本来必要であるが、本発明を説明するためには無用な幾つかの機器・装置（例えばポンプ装置や電源装置）は、描写していない。図中、Ｃ５〜Ｃ８は、互いに隣接又は近接して配置して集合化したセルの群であり、２５〜２８は、セルＣ５〜Ｃ８のそれぞれに設置されるタンクである。これらのタンクは、既設タンクであっても、新設タンクであってもよい。セルの群Ｃ５〜Ｃ８の外部には、それぞれ、重量支持部材５５〜５８が設置される。５５ｂ〜５８ｂは、それぞれ、重量支持部材５５〜５８の水平材である。
【０１４０】
図中６２３〜６２９は、いずれも被装填物６に相当する配管系であり、１１ａ〜１１ｈは、当該配管系に設置される、遠隔又は手動操作可能なバルブ装置である。より具体的には、配管系６２３、６２４はセルＣ５、Ｃ６を通過し、配管系６２５、６２６は節Ｃ７、Ｃ８が通過する。セルＣ５では、配管系６２３、６２４にそれぞれバルブ装置１１ａ、１１ｂが設置され、セルＣ６では、配管系６２３、６２４にそれぞれバルブ装置１１ｃ、１１ｄが設置される。セルＣ７では、配管系６２５、６２６にそれぞれバルブ装置１１ｅ、１１ｆが設置され、セルＣ８では、配管系６２５、６２６にそれぞれバルブ装置１１ｇ、１１ｈが設置される。バルブ装置１１ａと１１ｅとの間、１１ｂと１１ｆとの間、１１ｃと１１ｇとの間及び１１ｄと１１ｈとの間は、それぞれ、配管系６２７〜６３０により接続される。これらの配管系（バルブ装置を含む）は、重量支持部材の水平材上に設置された支持部材（図示せず）により、位置決めされる。
【０１４１】
このように構成された多セル型タンク設備１であれば、バルブ装置１１ａ〜ｈの開閉切替操作とポンプ装置（図示せず）の動作と不動作の切替操作により、セルの群Ｃ５〜Ｃ８内の一つのタンクの中に収容されていた物質を、他のタンクに移送することができ、また、配管系６２４〜６２６のいずれかを通じて、セルの群外の図示しない領域に輸送することができる。
【０１４２】
図１１に示された多セル型タンク設備１においては、被装填物６としての配管系（バルブ装置を含む）の重量の少なくとも一部が、重量支持部材５５〜５８に分配され、支持されることになるので、タンク２５〜２８のそれぞれに過度に掛かることがない。
【０１４３】
＜多セル型タンク設備の構築方法について＞
多セル型タンク設備は、単セル型タンク設備又は多セル型タンク設備にセルを追加することにより構築できる。単セル型タンク設備の構築方法は、既述のとおりであり、セルの追加は、単セル型タンク設備を隣接して横並びに配置すれば、容易に構築できる。そしてその際、必要に応じて、被装填物６としての配管系や隣接する重量支持部材５を連結して一体的に構成することも可能である。構築方法が容易であることは、タンク設備をセル単位で増設する際に特に有益である。
【０１４４】
以上の実施例において、図面に描写された重量支持部材５は、水平材５ｂの両端が一対の垂直材５ａと接合されることにより構成されている。しかし、本発明はこれら実施例の構成に限定されるものではない。たとえば、水平材５ｂの一端が垂直材５ａと接合され、他端は垂直材５ａと接合されていない、自由端状態とされることにより重量支持部材５が構成されていてもよい。また、水平材５ｂについても、必ずしも水平に設置されている必要はなく、タンク２の高さよりも高い位置に設置されている必要もなく、被装填物６、蓋部材８及び蓋部材８の近傍又は周辺の別部材９のうち少なくとも一つの重量の少なくとも一部を支持するに足るように設置されていればよい。同様の意味から、重量支持部材５自体の外形にも特に制限はない。更に、タンク２の内部２aに装填される被装填物６の少なくとも一部は、鉛直方向に位置決めされている必要はない。タンク２の開口部３も、タンク２の天頂部に設けられている必要はない。従って、例えば、タンク２の上方であるが側面に開口部３を設けて、その開口部３を通じて、被装填物６の少なくとも一部が内部２ａに斜めに装填され、これにより当該被装填物６の重量の少なくとも一部が支持されるように、重量支持部材５を構成してもよい。
【符号の説明】
【０１４５】
１：  タンク設備
２、２１〜２８：  タンク（既設タンク）
２ａ：  内部
２１：  既設タンク
２２〜２４：  新設タンク
３：  開口部
４：  基盤
４ａ：  タンク設置用台座
４ｂ、４ｃ：  基礎強化部
４ｄ：  台座兼用水平材
５（５ａ、５ｂ）、５１（５１ａ、５１ｂ）、５５〜５８（５５ｂ〜５８ｂ）：  重量支持部材
５ａ、５１ａ：  鉛直材
５ｂ、５１ｂ、５５ｂ〜５８ｂ：  水平材
６（６１、６２、６３）：  被装填物
６１：  撹拌装置
６２（６２ａ、６２ｂ、６２ｃ）、６２１〜６３０：  配管系
６２ａ：  鉛直配管
６２ｂ：  水平配管
６２ｃ：  拡散装置
６３：  計測装置
７（７１〜７６）：  固定手段
８：  蓋部材
９（９ａ、９ｂ、９ｃ）：  蓋部材８の近傍又は周辺の別の部材
９ａ：  懸架手段
９ｂ：  遮蔽手段
９ｃ：  固定デッキ
１０（１０ａ〜１０ｆ）、１０１〜１０８：  装填補助部材
１０ａ：  端部支持部材
１０ｂ：  脚部
１０ｃ：  係止部
１０ｄ：  開孔連通部
１０ｅ：  上部支承部
１０ｆ：  下部支承部
１０１〜１０８：  配管固定部材
１１、１１ａ〜１１ｈ：  バルブ装置
１２（１２ａ、１２ｂ、１２ｃ）：  タンク補強手段
１２ａ：  柱状部材
１２ｂ：  胴周補強部材
１２ｃ：  間隙充填部材
Ｃ、Ｃ１〜Ｃ８：  タンクが設置される単位空間（セル）
【図１】
2010163206.tif 000003
【図２】
2010163206.tif 000004
【図３】
2010163206.tif 000005
【図４】
2010163206.tif 000006
【図５】
2010163206.tif 000007
【図６】
2010163206.tif 000008
【図７】
2010163206.tif 000009
【図８】
2010163206.tif 000010
【図９】
2010163206.tif 000011
【図１０】
2010163206.tif 000012
【図１１】
2010163206.tif 000013